(57)【特許請求の範囲】
【請求項１】
ディスクカートリッジと同じ位置に形成され、内側に磁気インターフェースを有するヘッド挿入口と、
カードインターフェースを有し、電子カードが装着できるカード装着部と、
電源部と、
前記磁気インターフェースとカードインターフェースの接続回路上に設けられた制御部と、
電子データ処理装置内にあるディスクドライブ装置の回転駆動軸により回転するハブとを備え、外形がディスクカートリッジとほぼ同じ形状をしており、
前記カード装着部に電子カードをセットして、電子データ処理装置に装着して電子データ処理装置の磁気ヘッドを前記磁気インターフェースと接触させるとともに、
前記ハブの回転を検出することで、電子カードと電子データ処理装置の間でデータの授受を行なうオンラインモードにて動作するように構成されていることを特徴とする電子データ処理アダプター。
【請求項２】
ディスクカートリッジと同じ位置に形成され、内側に磁気インターフェースを有するヘッド挿入口と、
カードインターフェースを有し、電子カードが装着できるカード装着部と、
電源部と、
前記磁気インターフェースとカードインターフェースの接続回路上に設けられた制御部と、
その制御部に接続された表示部と、
電子データ処理装置内にあるディスクドライブ装置の回転駆動軸により回転するハブとを備え、外形がディスクカートリッジとほぼ同じ形状をしており、
前記ハブの回転の有無により、電子カードを電子データ処理アダプターにセットし、電子カードのデータの少なくとも一部を前記表示部に表示させるオフラインモードと、電子カードと電子データ処理装置の間でデータの授受を行なうオンラインモードの切り換えを行なうモード切り換え手段とを備えたことを特徴とする電子データ処理アダプター。
【発明の詳細な説明】
【０００１】
【発明の属する技術分野】
本発明は、例えば電子マネーシステム、医療診察システム、電子乗車券システムなどの各種システムで使用される電子カードを汎用のパーソナルコンピュータなどの電子データ処理装置に装着して、相互間のデータの授受を行なうディスクカートリッジ形の電子データ処理アダプターに関するものである。
【０００２】
【従来の技術】
従来、下記の特許文献１において図１４ないし図１６に示すような「電子データ処理装置のディスケットステーションに挿入可能な、交換可能プロセッサ／メモリカードを有する素子」が提案されている。図１４は後述するディスクカートリッジ形ケースの概略構成図、図１５はそのディスクカートリッジ形ケースの断面図、図１６はそのディスクカートリッジ形ケースに挿入されるカードの平面図である。
【０００３】
これらの図において１０１は汎用の磁気ディスクカートリッジと同じ形状で同じ寸法を有するカートリッジ形ケースで、電池１０２、変換器１０３、磁気インターフェース１０４、プロセッサ１０５、メモリ１０６、接点１０７ならびに側面が開口したカード収納空間部１０８（図１５参照）などを有している。なお、図中の１０９は窪み切欠部、１１０はディスクドライブ装置のスピンドルが挿入される凹み状の切欠部である。  １１１は前記カード収納空間部１０８に挿入される例えばＩＣカードなどの電子カードで、ＩＣチップ（図示せず）を内蔵し、表面に接点１１２を有している。
【０００４】
このカード１１１をカートリッジ形ケース１０１のカード収納空間部１０８に収納して、接点１０７，１１２どうしを接触させ、そのカートリッジ形ケース１０１を例えば汎用のパーソナルコンピュータなどに装着することにより、カートリッジ形ケース１０１を介してパーソナルコンピュータとカード１１１の間でデータの相互転送を行なうことができるという便利さを有している。
【０００５】
【特許文献１】
特表平６−５０９１９４号公報
【０００６】
【発明が解決しようとする課題】
本発明はこの種システムのものを改良して、さらに使い勝手のよい電子データ処理アダプターを提供することを目的とするものである。
【０００７】
【課題を解決するための手段】
上記目的を達成するため第１の本発明は、
ディスクカートリッジと同じ位置に形成され、内側に例えば平面状コイルなどからなる磁気インターフェースを有するヘッド挿入口と、
例えばコンタクトピンあるいは平面状コイルなどからなるカードインターフェースを有し、例えばＩＣカードなどの電子カードが装着できるカード装着部と、
例えば電池などの電源部と、
前記磁気インターフェースとカードインターフェースの接続回路上に設けられた制御部と、
例えばパーソナルコンピュータなどの電子データ処理装置内にあるディスクドライブ装置の回転駆動軸により回転するハブとを備え、外形がディスクカートリッジとほぼ同じ形状をしており、
前記カード装着部に電子カードをセットして、電子データ処理装置に装着して電子データ処理装置の磁気ヘッドを前記磁気インターフェースと接触させるとともに、
前記ハブの回転を検出することで、電子カードと電子データ処理装置の間でデータの授受を行なうオンラインモードにて動作するように構成されていることを特徴とするものである。
【０００８】
上記目的を達成するため第２の本発明は、
ディスクカートリッジと同じ位置に形成され、内側に磁気インターフェースを有するヘッド挿入口と、
カードインターフェースを有し、電子カードが装着できるカード装着部と、
電源部と、
前記磁気インターフェースとカードインターフェースの接続回路上に設けられた制御部と、
その制御部に接続された例えばＬＣＤなどの表示部と、
電子データ処理装置内にあるディスクドライブ装置の回転駆動軸により回転するハブとを備え、外形がディスクカートリッジとほぼ同じ形状をしており、
前記ハブの回転の有無により、電子カードを電子データ処理アダプターにセットし、電子カードのデータの少なくとも一部を前記表示部に表示させるオフラインモードと、電子カードと電子データ処理装置の間でデータの授受を行なうオンラインモードの切り換えを行なうモード切り換え手段とを備えたことを特徴とするものである。
【０００９】
【発明の実施の形態】
本発明は前述のように電子データ処理アダプターに電子カードをセットすることにより、電子カードに記憶されている例えば預金残高などの少なくとも一部のデータが電子データ処理アダプターの表示部に表示できるから、電子カードの適合した専用のインターフェースを用いることなく、電子カードに記憶されているデータを簡単に確認することができる。
【００１０】
また電子カードが電子データ処理アダプターを介して汎用のパーソナルコンピュータなどの電子データ処理装置に直接アクセスでき、電子カード専用のデータ書込み／読出し装置が不要である。そのため例えば、電子データ処理アダプターに電子カードをセットして電子カードに記憶されているデータ内容を表示部を見て確認した上で、電子データ処理装置にアクセスすることもできる。
【００１１】
以下、本発明の実施の形態を図面に基づいて説明する。図１は、本発明の実施の形態に係る電子データ処理システムの２つの使用態様を説明するための概略図である。この電子データ処理システムは図１に示すように、ＩＣカード１と、形状ならびに大きさは汎用の３．５インチのフロッピー(登録商標)ディスクと同じで前記ＩＣカード１が収納可能な外形寸法が約９３ｍｍ（Ｗ）×９０ｍｍ（Ｌ）×３ｍｍ（Ｔ）のディスクカートリッジ形ケース２と、例えばラップトップ形やノートブック形の汎用のパーソナルコンピュータおよび各種ワークステーションなどの電子データ処理装置３とから主に構成されている。
【００１２】
図１（ａ）は、ＩＣカード１をディスクカートリッジ形ケース２に収納し、それを電子データ処理装置３のディスクドライブ装置４に装着することにより、ディスクカートリッジ形ケース２を介してＩＣカード１と電子データ処理装置３の間でデータの授受を行なうオンラインモードを概略的に示している。また図１（ｂ）は、ＩＣカード１をディスクカートリッジ形ケース２に収納して、両者の間でデータの授受を行なうオフラインモードを概略的に示している。
【００１３】
次にこれらの具体的な構成ならびに使用態様例について説明する。図２ないし図９は本発明の第１の実施の形態を説明するための図で、図２はシャッタを装着する前のディスクカートリッジ形ケースの平面図、図３，図４は使用前のディスクカートリッジ形ケースの平面図ならびに底面図、図５はＩＣカードをディスクカートリッジ形ケースに挿入する直前の状態を示す図で、ディスクカートリッジ形ケースは図３Ｘ−Ｘ線上の断面を示している。図６はＩＣカードの平面図、図７はＩＣカードとディスクカートリッジ形ケースと電子データ処理装置との間のデータの授受動作を説明するための図、図８はＩＣカードとディスクカートリッジ形ケースの組み合わせで使用したときの状態を示す平面図、図９は動作説明をするための図である。
【００１４】
ディスクカートリッジ形ケース２は汎用の３．５インチのフロッピー(登録商標)ディスクと同様に挿入方向前部の中央部分に長方形をしたヘッド挿入口５が設けられ、それを含むようにシャッタの移動範囲を規制する浅い凹部６が形成されている。
【００１５】
この凹部６の下側にプリント配線基板（図示せず）が設置され、それに搭載されたフラット状の第１コイル７が前記ヘッド挿入口５から露呈するように配置されている。また、凹部６の図２に向かって右側端部付近には液晶表示素子（ＬＣＤ）からなる表示部８が凹部６の底面から露呈するように配置されている。
【００１６】
ディスクカートリッジ形ケース２の内部には電源９としての電池が交換可能に収容されている。なお、電源９としての例えばキャパシタ、ポリマーリチウム電池などの２次電池をディスクカートリッジ形ケース２の内部に格納しておき、電子データ処理アダプターの不使用時に充電器によってその２次電池を充電したり、あるいは後述のオンラインモード時にディスクドライブ装置の回転駆動力を利用してハブ２２を回転して発電し、この電力により前記２次電池を充電したりすることもできる。このように電源９として２次電池を使用する場合、必ずしも電池を交換可能にする必要はない。
【００１７】
また図１におけるオンラインモード（ａ）とオフラインモード（ｂ）の両方において、この電池によりディスクカートリッジ形ケース２を動作してもよいし、オフラインモード（ｂ）でのデータ表示のみ電池でディスクカートリッジ形ケース２を動作させ、オンラインモード（ａ）時の電源供給はディスクドライブ装置の回転駆動力を利用してハブ２２の回転により発電された電力にて動作させる構成としてもよい。
【００１８】
凹部６よりも挿入方向後部にＩＣカード１とほぼ同じ大きさを有するカード収納空間１０が形成されている。このカード収納空間１０は図５に示すように、ディスクカートリッジ形ケース２の一方の側面にカード出入口１１が設けられ、それと対向する内面がＩＣカード１のストッパー壁１２となっている。カード収納空間１０に臨むように、所定本数の弾性を有するコンタクトピン１３（図５参照）を備えた接触端子部１４（図２参照）が設けられている。
【００１９】
カード収納空間１０と対向する位置には、ディスクカートリッジ形ケース２の上下方向に貫通したカード検出孔１５が形成されている。本実施の形態では、３．５インチフロッピー(登録商標)ディスクのライトプロテクト孔と同じ位置にカード検出孔１５が形成されている。前記カード出入口１１の近傍には、ＩＣカード１の抜き差しを簡便にするための切欠部１６が設けられている。
【００２０】
側面形状がコ字形をした合成樹脂製もしくは金属製のシャッタ１７が、前記凹部６内にスライド可能に装着されている。シャッタ１７はヘッド挿入口５とほぼ同じ大きさの開口部１８を有し、開口部１８の図面に向かって右側にヘッド挿入口５を覆う第１閉塞部１９が、開口部１８の図面に向かって左側に表示部８を覆う第２閉塞部２０が、それぞれ設けられている。シャッタ１７は内部に収納されたバネ部材（図示せず）により、ヘッド挿入口５ならびに表示部８を覆う方向に常に弾性付勢されている。
【００２１】
図４に示すようにディスクカートリッジ形ケース２の下面のほぼ中央部にはスピンドル挿入口２１が形成され、そこにキャップ状をしたハブ２２が回転自在に配置されている。ハブ２２は３．５インチのフロッピー(登録商標)ディスクと同様に中心部に菱形の位置決め孔２３が、その近傍に長方形の駆動ピン挿入孔２４が、また外周部にフランジ２５がそれぞれ設けられている。フロッピー(登録商標)ディスクの場合にはフランジ２５に磁気ディスクの内周部が接着されているが、本発明の場合には磁気ディスクは用いられておらず、ハブ２２単体がスピンドル挿入口２１に回転自在に配置されている。
【００２２】
ＩＣカード１は図６に示すようにＣＰＵと不揮発性メモリからなるＩＣチップ２６を内蔵し、表面には複数に分割された電極２７と、磁気ストライプ２８と、挿入方向表示部２９などを備えており、構成的には従来のものと同じである。
【００２３】
ディスクカートリッジ形ケース２の構造的な特徴は前述の通りであるが、回路上は図７に示すような構成になっている。すなわち、ＩＣカード１と接続される接触端子部１４、ＩＣカードＩ／Ｆ制御部３０、ワークエリア、送受信バッファ、ステータスなどの機能を有する例えばＢｕｆｌｅｒ−ＲＡＭ及びプログラム格納用ＲＯＭなどのメモリ３１、中央制御部（ＣＰＵ）３２、クロック制御部３３、電源制御部３４、電源（電池）９、コイル信号変換部３５、第１コイル７とアナログ信号処理部３６からなるトランジューサ３７、表示制御部４３、表示部８などを備え、図に示すような接続関係になっている。
【００２４】
前記中央制御部３２は例えば、
▲１▼．ディスクドライブ装置４におけるヘッド信号との双方向通信制御、
▲２▼．前記ヘッド信号のフォーマット変換、
▲３▼．ＩＣカード１との双方向通信制御、
▲４▼．ＩＣカード１のコントロール処理、
▲５▼．データの書込み／読出しのステータス監視、
▲６▼．電源系の制御と監視、
などの機能を有している。
【００２５】
次に本発明に係るシステムの動作について説明する。図１（ａ）に示すオンラインモードの場合、まず、図５に示すようにＩＣカード１をディスクカートリッジ形ケース２のカード収納空間１０に挿入し、ＩＣカード１の先端部をストッパー壁１２に当接することによりカード収納空間１０内でＩＣカード１が位置決めされ、接触端子部１４と電極２７とが適正に接触する。またＩＣカード１の挿入によりディスクカートリッジ形ケース２のカード検出孔１５，１５が塞がれる（このカード検出孔１５の閉塞状態を図８において斜線で示している）。まだこの状態のとき、ヘッド挿入口５（第１コイル７）ならびに表示部８はシャッタ１７により覆われて、保護されている。
【００２６】
ＩＣカード１を収納したディスクカートリッジ形ケース２を電子データ処理装置３のディスクドライブ装置４に挿入すると、図８に示すようにディスクドライブ装置４内に設けられているシャッタ開閉ピン３８によりシャッタ１７が自動的に開かれ、装置内でヘッド挿入口５（第１コイル７）ならびに表示部８はシャッタ１７が露出し、ディスクドライブ装置４内に設けられている磁気ヘッド３９（図１ならびに図７参照）がヘッド挿入口５から挿入されて第１コイル７と接触する。この状態でＩＣカード１と電子データ処理装置３は、ディスクカートリッジ形ケース２を介してデータ通信が可能になる。
【００２７】
図９は、ＩＣカード１，ディスクカートリッジ形ケース２，電子データ処理装置（ＰＣ）３間の信号授受ならびに動作を説明するための図である。
【００２８】
まず、ステップ（以下、Ｓと略称）１でＩＣカード１がディスクカートリッジ形ケース２内に挿入される。次にＳ２でそのディスクカートリッジ形ケース２が電子データ処理装置３（ディスクドライブ装置４）内に挿入することにより、シャッタ１７が自動的に開く（Ｓ２）。ディスクカートリッジ形ケース２はシャッタ１７の開き動作を検出して、ディスクカートリッジ形ケース２の電源を投入するとともに、ディスクカートリッジ形ケース２内に挿入されたＩＣカード１に電源が供給される（Ｓ３）。シャッタ１７の開き動作を検出する方法として、例えばディスクカートリッジ形ケース２内のシャッタ開閉領域の近傍またはシャッタ１７を弾性付勢しているバネ部材の変位領域の近傍に、マイクロスイッチや磁気センサなどのセンサを配置して、そのセンサでシャッタ１７の開き動作を検出する方法がある。
【００２９】
次いでＳ４でＩＣカード１からディスクカートリッジ形ケース２へ初期応答（ＡＴＲ）がなされ、その応答内容が接触端子部１４、ＩＣカードＩ／Ｆ制御部３０、中央制御部３２を介してメモリ３１（図７参照）の所定アドレスに記憶される。
【００３０】
なお、ＩＣカード１へ電源供給を行なう前に、ディスクドライブ装置４内にあるライトプロテクト検出用光学センサ又は機械的機構によりディスクカートリッジ形ケース２内のＩＣカード１の有無を検出し、ＩＣカード１の挿入を確認した後、電源をＩＣカード１へ供給するか、又はディスクドライブ装置４内のライトプロテクト検出用センサ又は機械的機構により、ディスクカートリッジ形ケース２内のＩＣカード１の有無を検出せずに、電源供給に対するＩＣカード１からディスクカートリッジ形ケース２への初期応答（ＡＴＲ）の有無により、ＩＣカード１の検出を行なってもよい。
【００３１】
次にＳ５でハブ２２が回転しているか否かの判定がディスクカートリッジ形ケース２の中央制御部３２でなされ、ハブ２２が回転しているとオンラインモード、ハブ２２が回転していないとオフラインモードと判断される。ディスクカートリッジ形ケース２が電子データ処理装置３内に挿入され、ハブ２２の回転が検出されると、オンラインモードであると判断されるため、Ｓ６で電子データ処理装置（ＰＣ）３からディスクカートリッジ形ケース２に対してデータリード信号が出力され、ディスクカートリッジ形ケース２に記憶されている前記初期応答（ＡＴＲ）がディスクカートリッジ形ケース２から電子データ処理装置（ＰＣ）３へ送信される（Ｓ７）。
【００３２】
そしてＳ８で電子データ処理装置（ＰＣ）３からディスクカートリッジ形ケース２に対して読出しコマンドが出力され、ディスクカートリッジ形ケース２ではそのコマンドを受けた後にＳ９でＩＣカード１に対して読出しコマンドを出力する。このコマンドに対応してＳ１０でＩＣカード１からディスクカートリッジ形ケース２に読出しデータが出力され、それがそのまま電子データ処理装置（ＰＣ）３へ取り込まれ（Ｓ１１）、その読出しデータに基づいて電子データ処理装置（ＰＣ）３内で所望のデータ処理がなされる。オンラインモードの場合はこのようにディスクカートリッジ形ケース２を介して、ＩＣカード１に記憶されているデータが電子データ処理装置（ＰＣ）３に読み出されたり、あるいは電子データ処理装置（ＰＣ）３のキーボード入力に基づいてデータがＩＣカード１に書き込まれる。
【００３３】
次にオフラインモード時のＩＣカード１とディスクカートリッジ形ケース２との間の信号の授受ならびに動作を説明する。図８において、シャッタ開閉ピン３８を除いて状態がオフラインモードの使用状態である。前記Ｓ１からＳ４までのステップはオンラインモードと同様であり、前記Ｓ５でハブ２２が回転していないと判定された場合は電子データ処理装置（ＰＣ）３を使用しないオフラインモードであるとみなされ、Ｓ１２でディスクカートリッジ形ケース２からＩＣカード１に対して読出しコマンドが出力され、このコマンドに対応してＳ１３でＩＣカード１からディスクカートリッジ形ケース２に読出しデータが出力され、そのデータがディスクカートリッジ形ケース２の表示部８に表示され、ＩＣカード１に記憶されているデータ（例えば電子マネーシステムにおける預金の残高など）を見ることができる。
【００３４】
なお、このオフラインモードの場合はディスクカートリッジ形ケース２を電子データ処理装置（ＰＣ）３に装着しないため、シャッタ１７を手動で開き、このシャッタ１７の開き動作を検出してディスクカートリッジ形ケース２の電源投入及び表示部８を点灯し、シャッタ１７の閉じ動作を検出して表示部８を消灯するように構成されている。
【００３５】
図１０ないし図１２は本発明の第２の実施の形態を示す図であり、図１０はディスクカートリッジ形ケース２の平面図、図１１はＩＣカード１をディスクカートリッジ形ケース２に挿入する直前の状態を示す図で、ディスクカートリッジ形ケース２は図１０Ｙ−Ｙ線上の断面を示している。図１２は、この実施の形態で使用するＩＣカードの平面図である。
【００３６】
この実施の形態で前記第１の実施の形態と相違する主な点は、ＩＣカード１とディスクカートリッジ形ケース２の接続の構成である。すなわち本実施の形態においてＩＣカード１に平面状の第２コイル４０が設けられ、ディスクカートリッジ形ケース２にはこの第２コイル４０と対応するように平面状の第３コイル４１が設置されている。そしてＩＣカード１をディスクカートリッジ形ケース２に挿入した際に前記第２コイル４０と第３コイル４１が接近状態（非接触または接触状態）で対向し、電磁結合により信号の伝送が行なわれる構成になっている。
【００３７】
この実施の形態では第２コイル４０、第３コイル４１が表面に露出しているが、第２コイル４０、第３コイル４１の表面に薄い保護膜を設けることも可能である。
【００３８】
図１３は、本発明の第３の実施の形態を示すディスクカートリッジ形ケース２の平面図である。この実施の形態で前記第１の実施の形態と相違する主な点は、ディスクカートリッジ形ケース２の表面に表示用スイッチ４２を設けた点である。この実施の形態の場合、シャッタ１７を手動で開き、表示用スイッチ４２をオンすることにより表示部８の表示がなされる構成になっている。
【００３９】
オフラインでの使用を簡便にするため、シャッタ１７の開成状態を保持するためのロック手段をディスクカートリッジ形ケース２に設けることもできる。
【００４０】
またディスクカートリッジ形ケース２に、テンキーなどの操作スイッチを付設することも可能である。
【００４１】
さらにシャッタ１７にコイル７に対するクリーニング機構を設け、シャッタ１７の開閉動作にともなってコイル７の表面を常にクリーンな状態にすることで、ディスクドライブ装置４の磁気ヘッド３９とのコンタクトを良好な状態に保つことができる。
【００４２】
図１７は、本発明の第４の実施の形態を示す電子データ処理システムの動作説明図である。前記図９に示す処理フローでは、Ｓ５でハブの回転がないと判断された場合にオフラインモードと判定し、Ｓ１２ならびにＳ１３を経てＳ１４でデータ表示を行なった。この第４の実施の形態では、Ｓ４で初期応答（ＡＴＲ）があるとオフラインモード、オンラインモードに関係なくまずＳ１５でＡＴＲ内のデータを表示し、次のＳ５でハブの回転の有無を判断して、ハブの回転が無い場合はオフラインモードと判定して、Ｓ１５に戻りデータ表示を継続する。ハブの回転が有るとオンラインモードと判定し、Ｓ１６で表示データを消去してＳ６に進むシステムになっている。
【００４３】
【発明の効果】
請求項１記載の第１の発明は前述のように、ハブの回転を検出することで自動的にオンラインモードになり、電子データ処理アダプターを介して電子カードと電子データ処理装置の間でデータの授受が行なわれ、使い勝手のよい電子データ処理アダプターを提供することができる。
【００４４】
請求項２記載の第２の発明は前述のように、ハブの回転の有無により、オフラインモードまたはオンラインモードに自動的に切り換えられる。そしてオフラインモードの場合は、電子カードに記憶されているデータ（例えば電子マネーシステムにおける預金の残高など）を見ることができる。一方、オンラインモードの場合は、電子データ処理アダプターを介して電子カードと電子データ処理装置の間でデータの授受が行なわれる。以上のことから、使い勝手のよい電子データ処理アダプターを提供することができる。
【図面の簡単な説明】
【図１】本発明の実施の形態に係る電子データ処理システムの２つの使用態様を説明するための概略図である。
【図２】本発明の実施の形態に係るシャッタを装着する前のディスクカートリッジ形ケースの平面図である。
【図３】使用前のディスクカートリッジ形ケースの平面図である。
【図４】使用前のディスクカートリッジ形ケースの底面図である。
【図５】ＩＣカードをディスクカートリッジ形ケースに挿入する直前の状態を示す図である。
【図６】ＩＣカードの平面図である。
【図７】ＩＣカードとディスクカートリッジ形ケースと電子データ処理装置との間のデータの授受動作を説明するための図である。
【図８】ＩＣカードとディスクカートリッジ形ケースの組み合わせで使用したときの状態を示す平面図である。
【図９】本発明の実施の形態に係る電子データ処理システムの動作説明をするための図である。
【図１０】本発明の第２の実施の形態に係るディスクカートリッジ形ケースの平面図である。
【図１１】ＩＣカードをディスクカートリッジ形ケースに挿入する直前の状態を示す図である。
【図１２】この実施の形態で使用するＩＣカードの平面図である。
【図１３】本発明の第３の実施の形態に係るディスクカートリッジ形ケースの平面図である。
【図１４】従来提案されたディスクカートリッジ形ケースの平面図である。
【図１５】そのディスクカートリッジ形ケースの断面図である。
【図１６】そのディスクカートリッジ形ケースに収納するカードの平面図である。
【図１７】本発明の第４の実施の形態に係る電子データ処理システムの動作説明をするための図である。
【符号の説明】
１：ＩＣカード、２：ディスクカートリッジ形ケース、３：電子データ処理装置、４：ディスクドライブ装置、５：ヘッド挿入口、７：第１コイル、８：表示部、９：電源、１０：カード収納空間、１１：カード出入口、１３：コンタクトピン、１４：接触端子部、１５：カード検出孔、１７：シャッタ、１８：開口部、１９：第１閉塞部、２０：第２閉塞部、２１：スピンドル挿入口、２２：ハブ、２６：ＩＣチップ、２７：電極、３０：ＩＣカードＩ／Ｆ制御部、３１：メモリ、３２：中央制御部、３３：周波数制御部、３４：電源制御部、３５：コイル信号変換部、３６：アナログ信号処理部、３７：トランジューサ、３９：磁気ヘッド、４０：第２コイル、４１：第３コイル、４２：表示用スイッチ
【図１】
0003643362.tif 000002
【図２】
0003643362.tif 000003
【図３】
0003643362.tif 000004
【図４】
0003643362.tif 000005
【図５】
0003643362.tif 000006
【図６】
0003643362.tif 000007
【図７】
0003643362.tif 000008
【図８】
0003643362.tif 000009
【図９】
0003643362.tif 000010
【図１０】
0003643362.tif 000011
【図１１】
0003643362.tif 000012
【図１２】
0003643362.tif 000013
【図１３】
0003643362.tif 000014
【図１４】
0003643362.tif 000015
【図１５】
0003643362.tif 000016
【図１６】
0003643362.tif 000017
【図１７】
0003643362.tif 000018